(57)【要約】【課題】  映像とユーザによるコメントを動機して楽しむことができるシステムにおいて、視聴者があるメディアタイムにおいて、後方映像区間を参照しているコメントを読むことによって、先の展開を事前に知ってしまうことを防止する必要がある。【解決手段】  本発明は、ユーザの入力装置から入力されたコメントについて、当該コメントの後方のメディアタイムへのリンクが含まれている後方映像区間参照コメントであるかを判定し、判定結果に基づいて、該コメントに後方映像区間参照を可能にするか否かを示す後方映像区間参照コメントフラグ（フラグＡ）を映像毎、または、該映像のシーン毎に付与し、コメントＤＢに蓄積し、また、ユーザの映像視聴状態に基づいて、後方映像区間参照コメント表示防止フラグ（フラグＢ）をフラグ記憶手段に設定し、フラグＡとフラグＢに基づいて、該コメントＤＢのコメントをユーザの表示装置に表示する。【選択図】  図１
2006157690.tif 000002
【特許請求の範囲】
【請求項１】
映像区間と当該映像区間に対して付与されたコメントを同時に視聴可能とする視聴者コミュニケーションシステムにおける後方映像区間参照コメント表示制御方法であって、
ユーザの入力装置から入力されたコメントについて、当該コメントの後方のメディアタイムへのリンクが含まれている（後方映像区間を参照している）かを判定し、判定結果に基づいて、該コメントが後方映像区間参照を可能にするか否かを示す後方映像区間参照コメントフラグをコメントごとに付与し、コメントデータベース（ＤＢ）に蓄積するコメント取得ステップと、
ユーザの映像視聴状態に基づいて、前記後方映像区間参照コメント表示防止フラグを映像毎、または、該映像シーン毎に付与し、フラグ記憶手段に設定する視聴準備ステップと、
前記コメントデータベースの前記後方映像区間参照コメントフラグ及び前記フラグ記憶手段の前記後方映像区間参照コメント表示防止フラグに基づいて、コメントを表示するか否かを決定し、表示可能な場合のみ該コメントデータベースのコメントを前記ユーザの表示装置に表示するコメント表示ステップと、
を行うことを特徴とする視聴者コミュニケーションシステムにおける後方映像区間参照コメント表示制御方法。
【請求項２】
前記視聴準備ステップにおいて、
前記ユーザが選択した映像について、２回目以降の視聴である場合には、前記フラグ記憶手段の前記後方映像区間参照コメント表示防止フラグを、映像毎、または、該映像シーン毎に、前記後方映像区間参照コメントの表示を可能にする「０」に設定し、初回の視聴である場合には、「１」に設定する請求項１記載の視聴者コミュニケーションシステムにおける後方映像区間参照コメント表示制御方法。
【請求項３】
前記視聴準備ステップにおいて、
前記ユーザが選択した映像について、該ユーザに対して、前記後方映像区間参照コメントについて表示を許諾するか拒否するかについて問い合わせ、該ユーザから入力された許諾／拒否のいずれかの状態に応じて、前記フラグ記憶手段の前記後方映像区間参照コメント表示防止フラグを設定する請求項１記載の視聴者コミュニケーションシステムにおける後方映像区間参照コメント表示制御方法。
【請求項４】
映像区間と当該映像区間に対して付与されたコメントを同時に視聴可能とする視聴者コミュニケーションシステムにおける後方映像区間参照コメント表示制御装置であって、
ユーザの入力装置Ａから入力されたコメントについて、当該コメントの後方のメディアタイムへのリンクが含まれている後方映像区間参照コメントであるかを判定し、判定結果に基づいて、該コメントに後方映像区間を参照しているか否かを示す後方映像区間参照コメントフラグを付与し、コメントデータベース（ＤＢ）に蓄積するコメント取得手段と、
ユーザの映像視聴状態に基づいて、前記後方映像区間参照コメント表示防止フラグを映像毎、または、該映像のシーン毎にフラグ記憶手段に設定する視聴準備手段と、
前記コメントデータベースの前記後方映像区間参照コメントフラグ及び前記フラグ記憶手段の前記後方映像区間参照コメント表示防止フラグに基づいて、コメントを表示するか否かを決定し、表示可能な場合のみ、該コメントデータベースのコメントを前記ユーザの表示装置に表示するコメント表示制御手段と、
を有することを特徴とする視聴者コミュニケーションシステムにおける後方映像区間参照コメント表示制御装置。
【請求項５】
前記視聴準備手段は、
前記ユーザが選択した映像について、２回目以降の視聴である場合には、前記フラグ記憶手段の前記後方映像区間参照コメント表示防止フラグを、映像毎、または、該映像シーン毎に、前記後方映像区間参照コメントの表示を可能にする「０」に設定し、初回の視聴である場合には、「１」に設定する請求項４記載の視聴者コミュニケーションシステムにおける後方映像区間参照コメント表示制御装置。
【請求項６】
前記視聴準備手段は、
前記ユーザが選択した映像について、該ユーザに対して、前記後方映像区間参照コメントについて表示を許諾するか拒否するかについて問い合わせ、該ユーザから入力された許諾／拒否のいずれかの状態に応じて、前記フラグ記憶手段の前記後方映像区間参照コメント表示防止フラグを設定する請求項４記載の視聴者コミュニケーションシステムにおける後方映像区間参照コメント表示制御装置。
【請求項７】
映像区間と当該映像区間に対して付与されたコメントを同時に視聴可能とする視聴者コミュニケーションシステムにおける後方映像区間参照コメント表示制御プログラムであって、
前記請求項１乃至３記載の後方映像区間参照コメント表示制御方法を実現させるための処理をコンピュータに実行させることを特徴とする視聴者コミュニケーションシステムにおける後方映像区間参照コメント表示制御プログラム。
【発明の詳細な説明】
【技術分野】
【０００１】
本発明は、視聴者コミュニケーションシステムにおける後方映像区間参照コメント表示制御方法及び装置及びプログラムに係り、特に、映像区間と当該映像区間に対して付与されたコメントを同時に視聴可能とする映像・コメント同期視聴者間コミュニケーションシステムにおいて、映像の視聴部分よりも後方で発生している事象についてのコメントが表示されてしまうことによって視聴者が以降の展開を知ってしまうことを防止するための視聴者コミュニケーションシステムにおける後方映像区間参照コメント表示制御方法及び装置及びプログラムに関する。
【背景技術】
【０００２】
映像を視聴中のコミュニケーションの方法として、映像をシーンという小さな区間に分割して区間毎に掲示板を設置し、区間の切り替わりと連動して掲示板も切り替わって表示されるシステムがある（例えば、非特許文献１参照）。
【非特許文献１】山田一穂、宮川和、森本正志、児島治彦「映像の構造情報を活用した視聴者間コミュニケーション方法の提案」情報処理学会研究報告グループウェアとネットワークサービス、No.43-007,2001
【発明の開示】
【発明が解決しようとする課題】
【０００３】
しかしながら、上記の従来の技術では、映像のあるメディアタイムにおいて、そのメディアタイムよりも後に起こる事象を参照しているコメント（後方映像区間参照コメント）を読んでしまい、その後の展開を事前に知ってしまい、映像視聴の楽しみを阻害してしまうという問題がある。
【０００４】
本発明は、上記の点に鑑みなされたもので、視聴者があるメディアタイムにおいて、コメントを読むことによって先の展開を事前に知ってしまうことを防止し、一度視聴したことがある映像や、視聴者から後方映像区間参照を許容することを明示的に指定された場合には、コメントを表示することが可能な視聴者コミュニケーションシステムにおける後方映像区間参照コメント表示制御方法及び装置及びプログラムを提供することを目的とする。
【課題を解決するための手段】
【０００５】
図１は、本発明の原理説明図である。
【０００６】
本発明（請求項１）は、映像区間と当該映像区間に対して付与されたコメントを同時に視聴可能とする視聴者コミュニケーションシステムにおける後方映像区間参照コメント表示制御方法であって、
ユーザの入力装置から入力されたコメントについて、当該コメントの後方のメディアタイムへのリンクが含まれている後方映像区間参照コメントであるかを判定し、判定結果に基づいて、該コメントが後方映像区間を参照しているか否かを示す後方映像区間参照コメントフラグをコメント毎に付与し、コメントデータベース（ＤＢ）に蓄積するコメント取得ステップ（ステップ１）と、
ユーザの映像視聴状態に基づいて、後方映像区間参照コメント表示防止フラグを映像毎、または、該映像のシーン毎に付与し、フラグ記憶手段に設定する視聴準備ステップ（ステップ２）と、
コメントデータベースの後方映像区間参照コメントフラグ及びフラグ記憶手段の後方映像区間参照コメント表示防止フラグに基づいて、コメントを表示するか否かを決定し、表示可能な場合のみ、該コメントデータベースのコメントをユーザの表示装置に表示するコメント表示ステップ（ステップ３）と、を行う。
【０００７】
また、本発明（請求項２）は、視聴準備ステップ（ステップ２）において、
ユーザが選択した映像について、２回目以降の視聴である場合には、フラグ記憶手段の後方映像区間参照コメント表示防止フラグを、映像毎、または、該映像シーン毎に、後方映像区間参照コメントの表示を可能にする「０」に設定し、初回の視聴である場合には、「１」に設定する。
【０００８】
また、本発明（請求項３）は、視聴準備ステップ（ステップ２）において、
ユーザが選択した映像について、該ユーザに対して、後方映像区間参照コメントについて表示を許諾するか拒否するかについて問い合わせ、該ユーザから入力された許諾／拒否のいずれかの状態に応じて、フラグ記憶手段の後方映像区間参照コメント表示防止フラグを設定する。
【０００９】
図２は、本発明の原理構成図である。
【００１０】
本発明（請求項４）は、映像区間と当該映像区間に対して付与されたコメントを同時に視聴可能とする視聴者コミュニケーションシステムにおける後方映像区間参照コメント表示制御装置であって、
ユーザの入力装置Ａ７から入力されたコメントについて、当該コメントの後方のメディアタイムへのリンクが含まれている後方映像区間参照コメントであるかを判定し、判定結果に基づいて、該コメントに後方映像区間を参照しているか否かを示す後方映像区間参照コメントフラグを付与し、コメントデータベース（ＤＢ）５に蓄積するコメント取得手段１と、
入力装置Ｂ７のユーザの映像視聴状態に基づいて、後方映像区間参照コメント表示防止フラグを映像毎、または、該映像のシーン毎にフラグ記憶手段４に設定する視聴準備手段３と、
コメントデータベース５の後方映像区間参照コメントフラグ及びフラグ記憶手段４の後方映像区間参照コメント表示防止フラグに基づいて、コメントを表示するか否かを決定し、表示可能な場合のみ、該コメントデータベースのコメントをユーザの表示装置８に表示するコメント表示制御手段２と、を有する。
【００１１】
また、本発明（請求項５）は、視聴準備手段３において、
ユーザが選択した映像について、２回目以降の視聴である場合には、フラグ記憶手段４の後方映像区間参照コメント表示防止フラグを、映像毎、または、該映像シーン毎に後方映像区間参照コメントの表示を可能にする「０」に設定し、初回の視聴である場合には、「１」に設定する。
【００１２】
また、本発明（請求項６）は、視聴準備手段３において、
ユーザが選択した映像について、該ユーザに対して、後方映像区間参照コメントについて表示を許諾するか拒否するかについて問い合わせ、該ユーザから入力された許諾／拒否のいずれかの状態に応じて、フラグ記憶手段４の後方映像区間参照コメント表示防止フラグを設定する。
【００１３】
本発明（請求項７）は、映像区間と当該映像区間に対して付与されたコメントを同時に視聴可能とする視聴者コミュニケーションシステムにおける後方映像区間参照コメント表示制御プログラムであって、
請求項１乃至３記載の後方映像区間参照コメント表示制御方法を実現させるための処理をコンピュータに実行させるプログラムである。
【発明の効果】
【００１４】
本発明によれば、映像毎、または、該映像シーン毎に、後方映像区間参照コメント表示防止フラグを設定することにより、コメントと映像を表示する際に、当該後方映像区間参照コメント表示防止フラグを参照してコメント表示制御することにより、既にその映像を視聴したユーザのコメントを見ながら映像を視聴しても、他者のコメントによって、視聴部分より後方で発生した事象についての、コメントを読んでその後の展開を知ってしまうことなく、映像視聴を楽しむことができる。
【発明を実施するための最良の形態】
【００１５】
以下、図面と共に本発明の実施の形態を説明する。
【００１６】
図３は、本発明の一実施の形態における後方映像区間参照コメント表示制御装置の構成を示す。
【００１７】
同図に示す後方映像区間参照コメント表示制御装置は、コメント取得処理部１、コメント表示部２、視聴準備部３、フラグ記憶部４、コメントＤＢ５及びシーン定義情報記憶部６から構成され、ユーザの入力装置７、表示装置８に接続されている。
【００１８】
コメント取得処理部１は、ユーザの入力装置７から入力されたコメントを取得するコメント取得部１１、入力されたコメントが後方映像区間参照コメントであるか否かを解析し、後方映像区間参照コメントである場合には、後方映像区間参照コメントフラグとして「１」を付加し、そうでない場合には後方映像区間参照コメントフラグとして「０」をコメントに付与してコメントＤＢ５に登録するコメント登録部１２からなる。
【００１９】
コメント表示部２は、フラグ記憶部４より後方映像区間参照コメント表示可否の設定である後方映像区間参照コメント表示防止フラグを読み込むフラグ読込部２１、コメントＤＢ５からコメントを読み込み、後方映像区間参照コメント表示防止フラグ及び後方映像区間参照コメントフラグに基づいて、ユーザの表示装置７に表示する表示制御部２２からなる。
【００２０】
視聴準備部３は、ユーザ認証を行うログイン部３１、ユーザにより選択された映像毎、または、映像シーン毎に、視聴回数をカウントする視聴回数カウント部３２、後方映像区間参照コメント表示防止フラグをフラグ記憶部４に設定するフラグ設定部３３からなる。
【００２１】
フラグ記憶部４は、フラグ設定部３３によって設定された後方映像区間参照コメント表示防止フラグが格納される。
【００２２】
図４は、本発明の一実施の形態におけるコメントＤＢの例を示す。
【００２３】
コメントＤＢ５は、コメントＩＤ、シーンＩＤ（コメントが付与されているシーンのＩＤ）、ユーザＩＤ（コメントを付与したユーザのＩＤ）、コメント（コメントの内容）、親ＩＤ（レスコメントの場合、親コメントのコメントＩＤ、そうでない場合にはＮＵＬＬ）、リファレンスシーンＩＤ（コメント中に他のシーンへのリンクがあった場合、リファーされているシーンのＩＤ、そうでなければＮＵＬＬ）、後方映像区間参照コメントフラグ（コメントが後方映像区間参照がある場合「１」、そうでなければ「０」）の７つの項目からなる。
【００２４】
シーン定義情報記憶部６は、映像のメディアタイムとシーンＩＤの対応関係を格納する。
【００２５】
次に、上記の構成における動作を、コメント受け取り過程、コメント表示過程、視聴準備過程に分けて説明する。
【００２６】
図５は、本発明の一実施の形態におけるコメント受け取り過程のフローチャートである。
【００２７】
ステップ１１）  コメント取得処理部１のコメント取得部１１は、入力装置７からユーザが入力したコメントを受け取る。
【００２８】
ステップ１２）  コメント登録部１２において、入力されたコメントについて後方映像区間参照コメントであるか否かを解析し、フラグ設定部３３が後方映像区間参照コメントフラグを付与してコメントＤＢ５に当該コメントを登録する。
【００２９】
次に、上記のステップ１２に詳細について説明する。
【００３０】
図６は、本発明の一実施の形態におけるコメント登録処理の詳細な動作のフローチャートである。
【００３１】
ステップ４０１）  コメント登録部１２において、ユーザから入力されたコメントに、コメントＩＤ＝ＩＤ＿ＭＡＸを付与し、当該ＩＤ＿ＭＡＸをインクリメントする。
【００３２】
ステップ４０２）  コメントのシーンＩＤとして、コメントの入力時刻が含まれるシーンＩＤをコメントＤＢ５のコメントＩＤの欄に設定する。
【００３３】
ステップ４０３）  ユーザのログインＩＤをユーザＩＤとしてコメントＤＢ５のユーザＩＤの欄に設定する。
【００３４】
ステップ４０４）  ユーザコメントの内容をコメントＤＢ５のコメント欄に設定する。
【００３５】
ステップ４０５）  入力されたユーザからのコメントがレス（レスポンス）コメントであるかどうかを判定する。当該判断は、親コメントが当該コメントに付与されているか否かで判定するものとする。レスコメントであれば、ステップ４０７に移行し、そうでなければステップ４０６に移行する。
【００３６】
ステップ４０６）  レスコメントでなければ、コメントＤＢ５の親ＩＤの欄にＮＵＬＬを設定し、ステップ４０８に移行する。
【００３７】
ステップ４０７）  レスコメントであれば、親コメントのコメントＩＤをコメントＤＢ４の親ＩＤの欄に設定する。
【００３８】
ステップ４０８）  入力されたコメントがリファレンス（リンク）を含むかを判定する。含む場合は、ステップ４１０に移行し、そうでなければステップ４０９に移行する。
【００３９】
ステップ４０９）  コメントＤＢ５のリファレンスＩＤの欄にＮＵＬＬを設定し、ステップ４１１に移行する。
【００４０】
ステップ４１０）  リファレンス先のシーンＩＤをコメントＤＢ５のリファレンスシーンＩＤの欄に設定する。
【００４１】
ステップ４１１）  リファレンスシーンＩＤ＞シーンＩＤかどうかを判定し、リファレンスシーンＩＤの方が大きければステップ４１３に移行し、そうでなければステップ４１２に移行する。
【００４２】
ステップ４１２）  後方映像区間参照コメントフラグを「０」としてコメントＤＢ５の後方映像区間参照コメントフラグの欄に設定する。
【００４３】
ステップ４１３）  後方映像区間参照コメント表示防止フラグを「１」としてコメントＤＢ５の後方映像区間参照コメントフラグの欄に設定する。つまり、コメント中に当該シーンＩＤに対応するシーンよりも後方にあるシーンにリンクしている場合には、後方映像区間参照の可能性があるため、後方映像区間参照コメントフラグを「１」とするものである。
【００４４】
図７は、本発明の一実施の形態における視聴準備過程のフローチャートである。
【００４５】
ステップ３１）  ログイン部３１において、ユーザからのログインにより認証を行う。
【００４６】
ステップ３２）  視聴回数カウント部３２において、ユーザにより選択された映像毎の視聴回数をカウントする。
【００４７】
ステップ３３）  フラグ設定部３３において、ステップ３２でカウントされた視聴回数に基づいて、映像毎に、後方映像区間参照コメントの表示可否の設定のための後方映像区間参照コメント表示防止フラグをフラグ記憶部４に設定する。
【００４８】
次に、上記の図７のステップ３３の処理について詳細に説明する。
【００４９】
図８は、本発明の一実施の形態における後方映像区間参照コメント表示防止フラグの設定方法のフローチャート（その１）である。同図に示す処理は、視聴回数カウント部３２においてカウントされた視聴回数に基づいて後方映像区間参照コメント表示防止フラグを付与するか否かを判定する動作例である。
【００５０】
ステップ６０１）  フラグ設定部３３は、視聴回数カウント部３２でカウントされた視聴回数が１より大きければ、ステップ６０３に移行し、そうでなければステップ６０２に移行する。
【００５１】
ステップ６０２）  後方映像区間参照コメント表示防止フラグを「１」としてフラグ記憶部４に設定し、後方映像区間参照コメントが表示されないようにする。つまり、視聴回数が１より小さいということは、初回の視聴であるので、後方映像区間参照があると視聴者の当該映像に対する興味がなくなるため、表示時において、後方映像区間参照の可能性のあるコメントを表示しないように制御するものである。
【００５２】
ステップ６０３）  後方映像区間参照コメント表示防止フラグを「０」としてフラグ記憶部４に設定し、後方映像区間参照コメントも表示されるようにする。
【００５３】
さらに、後方映像区間参照コメント表示防止フラグの設定方法（ステップ３３）についての別の例を説明する。
【００５４】
図９は、本発明の一実施の形態における後方映像区間参照コメント表示防止フラグの設定方法のフローチャート（その２）である。同図に示す処理は、ユーザがログインまたは、映像選択時において、後方映像区間参照コメント表示を拒否／許諾のいずれかを選択した場合の動作例である。なお、ここで、ユーザに後方映像区間参照表示を拒否するか否かを選択させる画面を表示し、ユーザがそのいずれかを選択入力したものとする。
【００５５】
ステップ７０１）  ログイン時または、映像選択時にユーザが後方映像区間参照コメント表示を拒否した場合には、ステップ７０２に移行し、そうでない場合には、ステップ７０３に移行する。
【００５６】
ステップ７０２）  後方映像区間参照コメント表示防止フラグを「１」として、フラグ記憶部４に設定し、後方映像区間参照コメントが表示されないようにする。
【００５７】
ステップ７０３）  後方映像区間参照コメント表示防止フラグを「０」として、フラグ記憶部４に設定し、後方映像区間参照コメントも表示されるようにする。
【００５８】
なお、上記の図８、図９に示した手法は、コンテンツ全体について後方映像区間参照コメント表示防止フラグの設定が可能である。図８、図９により後方映像区間参照コメント表示防止フラグが付与されたフラグ記憶部４の例を図１０に示す。
【００５９】
さらに、後方映像区間参照コメント表示防止フラグの設定方法について、別の手法を説明する。
【００６０】
図１１は、本発明の一実施の形態における後方映像区間参照コメント表示防止フラグの設定方法のフローチャート（その３）である。同図に示す処理は、後方映像区間参照コメント表示防止フラグをシーン毎に設定するものである。以下では、シーンについての後方映像区間参照コメント表示防止フラグを、「シーンｘ後方映像区間参照コメント表示防止フラグ」と呼ぶ。
【００６１】
ステップ８０１）  フラグ記憶部４の全てのシーンのシーン後方映像区間参照コメント表示防止フラグを「１」と設定する。
【００６２】
ステップ８０２）  視聴中の映像のシーンＩＤをシーン定義情報記憶部６から映像のメディアタイムに基づいて取得する（Ｓとする）。
【００６３】
ステップ８０３）  取得したシーンＳについて、フラグ記憶部４のシーンＳ後方映像区間参照コメント表示防止フラグを「０」に設定する。
【００６４】
ステップ８０４）  視聴終了であれば、当該処理を終了し、そうでなければステップ８０２に移行する。
【００６５】
この例の場合の、フラグ記憶部４の例を図１２に示す。
【００６６】
この場合には、後述する図１４のフローチャートに示す方法で、コメント表示／非表示の制御を行うものとする。
【００６７】
次に、コメント表示過程について説明する。
【００６８】
図１３は、本発明の一実施の形態におけるコメント表示過程のフローチャートである。
【００６９】
ステップ２１）  フラグ読み込み部２１が、後方映像区間参照コメントの表示の可否のユーザ設定である後方映像区間参照コメント表示防止フラグをフラグ記憶部４から読み込む。
【００７０】
ステップ２２）  表示制御部２２は、コメントＤＢ５からコメントを読み込み、ステップ２１でフラグ記憶部４から読み込んだ後方映像区間参照コメント表示防止フラグ、及び、コメントＤＢ５からの後方映像区間参照コメントフラグに基づいて、当該コメント毎にコメントを表示するかどうかを判定し、表示するコメントについて表示装置８に表示を行う。このとき、フラグ記憶部４の後方映像区間参照コメント表示防止フラグと、コメントＤＢ５の後方映像区間参照コメントフラグの両方に「１」が設定されていれば、当該シーンのコメントは表示しない。つまり、後方映像区間を参照しているコメントであって、さらに、ユーザが後方映像区間参照コメント表示を防止している時のみ、コメントを表示しない。
【００７１】
次に、上記の図１３のステップ２１の処理を詳細に説明する。
【００７２】
図１４は、本発明の一実施の形態におけるコメント表示過程の詳細な動作のフローチャートである。なお、同図の処理は、上記の図１１に示す方法により、フラグ記憶部４にシーンＩＤ毎に後方映像区間参照コメント表示防止フラグが設定されている場合の例である。
【００７３】
ステップ９０１）  表示制御部２２は、メディアタイムに基づいて、シーン定義情報記憶部６から視聴するシーンＩＤを取得する。
【００７４】
ステップ９０２）  表示制御部２２は、シーンＩＤに対応したコメントをコメントＤＢ５から読み込む。
【００７５】
ステップ９０３）  フラグ読み込み部２１は、フラグ記憶部４から後方映像区間参照コメント表示防止フラグを読み出し、表示制御部２２に転送し、表示制御部２２は、後方映像区間参照コメント表示防止フラグが「１」であるかを判定し、「１」であればステップ９０６に移行し、そうでなければステップ９０４に移行する。
【００７６】
ステップ９０４）  表示制御部２２は、コメントＤＢ５のリファレンスシーンの後方映像区間参照コメントフラグが「１」であるかを判定し、「１」であればステップ９０６に移行し、そうでなければステップ９０５に移行する。
【００７７】
ステップ９０５）  表示制御部２２は、コメントを表示装置８に表示する。ステップ９０７に移行する。
【００７８】
ステップ９０６）  表示制御部２２は、コメントを表示装置８に表示しない。ステップ９０７に移行する。
【００７９】
ステップ９０７）  コメントＤＢ５に格納されている全てのコメントについて上記の処理を行ったかを判定し、行っていれば、ステップ９０８に移行し、そうでなければ、ステップ９０３に移行する。
【００８０】
ステップ９０８）  映像が終了しているかを判定し、終了していれば、当該処理を終了し、終了していなければ、ステップ９０１に移行する。
【００８１】
上記のように、コメント入力時にリファー先が、映像上のメディアタイムにおいて後方にあった場合には、後方映像区間参照コメントとして、後方映像区間参照コメントフラグを「１」にしてコメントＤＢ５に登録することと、視聴者の視聴回数、または、ユーザからの明示的な指定（拒否／許諾）によって、後方映像区間参照コメントが表示されないよう、後方映像区間参照コメント表示防止フラグを「１」に設定するという２つの処理を行い、双方のフラグが「１」のときにはコメントを表示しない。これにより、後方映像区間参照の心配なく、映像視聴とコメントを付与しながらコミュニケーションを楽しむことができる。
【００８２】
また、上記のコメント入力過程、視聴前準備過程、コメント表示過程の各処理をプログラムとして構築し、後方映像区間参照コメント表示制御装置として利用されるコンピュータにインストールする、または、ネットワークを介して流通させることも可能である。
【００８３】
また、構築されたプログラムを後方映像区間参照コメント表示制御装置として利用されるコンピュータに接続されるハードディスク装置や、フレキシブルディスク、ＣＤ−ＲＯＭ等の可搬記憶媒体に格納しておくことも可能である。
【００８４】
なお、本発明は、上記の実施の形態及び実施例に限定されることなく、特許請求の範囲内において種々変更・応用が可能である。
【産業上の利用可能性】
【００８５】
本発明は、映像中の区間と当該区間に対して付与されたコメントを同時に視聴可能とするシステムに適用可能である。
【図面の簡単な説明】
【００８６】
【図１】本発明の原理説明図である。
【図２】本発明の原理構成図である。
【図３】本発明の一実施の形態における後方映像区間参照コメント表示制御装置の構成図である。
【図４】本発明の一実施の形態におけるコメントＤＢの例を示す図である。
【図５】本発明の一実施の形態におけるコメント受け取り過程のフローチャートである。
【図６】本発明の一実施の形態におけるコメント登録処理の詳細な動作のフローチャートである。
【図７】本発明の一実施の形態における視聴前準備過程のフローチャートである。
【図８】本発明の一実施の形態における後方映像区間参照コメント表示防止フラグの設定方法のフローチャート（その１）である。
【図９】本発明の一実施の形態における後方映像区間参照コメント表示防止フラグの設定方法のフローチャート（その２）である。
【図１０】本発明の一実施の形態におけるフラグ記憶部の例（その１）である。
【図１１】本発明の一実施の形態における後方映像区間参照コメント表示防止フラグの設定方法のフローチャートである。
【図１２】本発明の一実施の形態におけるフラグ記憶部の例（その２）である。
【図１３】本発明の一実施の形態におけるコメント表示過程のフローチャートである。
【図１４】本発明の一実施の形態におけるコメント表示過程の詳細な動作のフローチャートである。
【符号の説明】
【００８７】
１  コメント取得手段、コメント取得処理部
２  表示制御手段、コメント表示部
３  視聴準備手段、視聴準備部
４  フラグ記憶手段、フラグ記憶部
５  コメントデータベース（ＤＢ）
６  シーン定義情報記憶部
７  入力装置
８  出力装置
１１  コメント取得部
１２  コメント登録部
２１  フラグ読込部
２２  表示制御部
３１  ログイン部
３２  視聴回数カウント部
３３  フラグ設定部
【図１】
2006157690.tif 000003
【図２】
2006157690.tif 000004
【図３】
2006157690.tif 000005
【図４】
2006157690.tif 000006
【図５】
2006157690.tif 000007
【図６】
2006157690.tif 000008
【図７】
2006157690.tif 000009
【図８】
2006157690.tif 000010
【図９】
2006157690.tif 000011
【図１０】
2006157690.tif 000012
【図１１】
2006157690.tif 000013
【図１２】
2006157690.tif 000014
【図１３】
2006157690.tif 000015
【図１４】
2006157690.tif 000016